(57)【要約】【課題】Ｕ字型外部電極蛍光ランプの各電極をショートによる不良なしに安全に共通電極に接続し、消費電流を減少させることによって消費電流に敏感な大画面液晶表示装置に容易に適用されるバックライトアセンブリーを提供する。【解決手段】折り曲げられた形態を有する複数の外部電極蛍光ランプが相互間に平行に所定距離離隔されるように配置された第１及び第２共通電極部に電気的に共通接続したバックライトアセンブリー；及びバックライトアセンブリーから供給された光の透過率によって画像を表示する液晶パネルを含むことを特徴とする。【選択図】図３
2006173086.tif 000002
【特許請求の範囲】
【請求項１】
バックライトアセンブリーであって、
複数の並置された屈曲形の外部電極蛍光ランプ（ＥＥＦＬ）であって、各々が第１及び第２の外部電極を有し、該第１及び第２の外部電極がそれぞれ同一平面内に配置されるように並置されたＥＥＦＬ、
該第１の外部電極に共通的に電力を供給するための第１の共通電極部、及び
該第２の外部電極に共通的に電力を供給するための第２の共通電極部
からなるバックライトアセンブリー。
【請求項２】
請求項１記載のバックライトアセンブリーであって、前記各ＥＥＦＬにおいて、該第１の外部電極が画定する平面と該第２の外部電極が画定する平面とが所定の距離離間されるように該第１及び第２の外部電極が設けられたことを特徴とするバックライトアセンブリー。
【請求項３】
請求項２記載のバックライトアセンブリーにおいて、第１の共通電極部と第２の共通電極部とが、所定の距離をあけて平行に配置されることを特徴とするバックライトアセンブリー。
【請求項４】
請求項３記載のバックライトアセンブリーにおいて、第１の共通電極部と第２の共通電極部とが、該バックライトアセンブリーが画定する照射面と平行に同一平面上に位置することを特徴とするバックライトアセンブリー。
【請求項５】
請求項２から請求項４いずれか一項に記載のバックライトアセンブリーにおいて、第１及び第２の外部電極が該ＥＥＦＬ各々の各終端に位置するように形成されたことを特徴とするバックライトアセンブリー。
【請求項６】
請求項３記載のバックライトアセンブリーにおいて、該第１の共通電極部と該第２の共通電極部とが、該バックライトアセンブリーが画定する照射面に対して鉛直方向にオーバーラップする位置に配置されたことを特徴とするバックライトアセンブリー。
【請求項７】
請求項６記載のバックライトアセンブリーにおいて、該第１の共通電極部と該第２の共通電極部が該第１及び第２の外部電極の一方又は両方を挟む位置に配置されたことを特徴とするバックライトアセンブリー。
【請求項８】
請求項７記載のバックライトアセンブリーであって、さらに、絶縁層を該第１の共通電極部と該第２の共通電極部との間に設けたことを特徴とするバックライトアセンブリー。
【請求項９】
請求項１から請求項８いずれか一項に記載のバックライトアセンブリーにおいて、該屈曲形ＥＥＦＬはＵ字形であることを特徴とするバックライトアセンブリー。
【請求項１０】
バックライトアセンブリーであって、
該バックライトアセンブリーに内蔵される複数の外部電極蛍光ランプ（ＥＥＦＬ）、及び
該複数のＥＥＦＬに共通的に交流電力を供給するためのバー状の第１及び第２の共通電極部からなり、
該第１及び第２の共通電極部は該バックライトアセンブリーの照射面で画定される長方形領域に関していずれか一辺に隣接して配置されることを特徴とするバックライトアセンブリー。
【請求項１１】
液晶表示装置であって、
請求項１から請求項１０いずれか一項に記載のバックライトアセンブリー、及び
該バックライトアセンブリーから供給された光によって画像を表示する液晶パネル
からなることを特徴とする液晶表示装置。
【発明の詳細な説明】
【技術分野】
【０００１】
本発明はバックライトアセンブリーに係り、特に外部電極蛍光ランプを具備したバックライトアセンブリー及びこれを具備した液晶表示装置に関する。
【背景技術】
【０００２】
一般に、平板表示装置（Ｆｌａｔ  Ｐａｎｅｌ  Ｄｉｓｐｌａｙ）はプラズマディスプレイパネル、電界発光素子、発光ダイオード、液晶表示装置（Ｌｉｑｕｉｄ  Ｃｒｙｓｔａｌ  Ｄｉｓｐｌａｙ  ｄｅｖｉｃｅ、以下「ＬＣＤ」という）を含む。
【０００３】
ＬＣＤは、自ら発光せずに外部で光を照射して画像を表示する受光型素子であるため、暗い所では画像を表示することができないという問題点がある。
【０００４】
このような問題点を解決するために液晶表示装置は背面にバックライトアセンブリーが具備され光を照射するようにしているので暗い所でも画像を表示することができる。
【０００５】
バックライトアセンブリーの一般的な要求仕様は高輝度、高効率、輝度の均一性、長寿命、薄形、軽量、低価格などである。
【０００６】
バックライトアセンブリーには光を生成する光源としてランプが具備される。したがって、液晶表示装置は光を生成するランプを具備したバックライトアセンブリーと、バックライトアセンブリーから生成された光によって画像を表示する液晶パネルを具備する。
【０００７】
ランプとしては冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）と外部電極蛍光ランプ（ＥＥＦＬ：Ｅｘｔｅｒｎａｌ  Ｅｌｅｃｔｒｏｄｅ  Ｆｌｕｏｒｅｓｃｅｎｔ  Ｌａｍｐ）が主に使われる。冷陰極蛍光ランプは高輝度の光を生成する長所を有するが、価格面では外部電極蛍光ランプが冷陰極蛍光ランプより有利である。これにより、最近は徐々に外部電極蛍光ランプに対する研究が活発に行われている。
【０００８】
図１は従来の外部電極蛍光ランプを具備したバックライトアセンブリーを示す図面であって、図２は図１のＡ領域を拡大した図面である。
【０００９】
図１及び図２に示すように、従来のバックライトアセンブリーは両側終端部分の外部に陽電極及び陰電極２、３を具備した複数の外部電極蛍光ランプ１と、外部電極蛍光ランプ１を電気的に共通接続するために外部電極蛍光ランプ１それぞれの陽電極及び陰電極２、３が挿着されることができる挿着部６を具備した陽極共通電極部４及び陰極共通電極部５を具備する。挿着部６は陽極共通電極部４及び陰極共通電極部５に一体に形成される。したがって、挿着部６は陽極共通電極部４及び陰極共通電極部５と電気的に接続される。
【００１０】
陽極共通電極部４と陰極共通電極部５間は外部電極蛍光ランプ１の長さだけ離隔される。
【００１１】
外部電極蛍光ランプ１それぞれの陽電極及び陰電極２、３は陽極共通電極部４と陰極共通電極部５に具備された挿着部６に挿着するようになる。これにより、外部電極蛍光ランプ１は陽極共通電極部４と陰極共通電極部５に対して並列で接続されるようになる。
【００１２】
したがって、陽極共通電極部４と陰極共通電極部５に高電圧が印加されると、高電圧が挿着部６を介して外部電極蛍光ランプ１それぞれの陽電極及び陰電極２、３に共通に供給されて各外部電極蛍光ランプ１から同時に光が生成されることができる。
【００１３】
このような構造のバックライトアセンブリーは小画面液晶パネルに適している。すなわち、小画面液晶パネルはサイズが比較的小さいのでこれに対応するバックライトアセンブリーの外部電極蛍光ランプの個数も少なく使われる。しかし、大画面液晶パネルの場合には画面サイズに比例して外部電極蛍光ランプの個数も増加するようになる。このような場合、各外部電極蛍光ランプそれぞれに流れるランプ電流は外部電極蛍光ランプの個数だけ減るため光の強さが低下する場合がある。これを補償するためにさらに高電圧を増加して印加することもできるが、消費電流が増えるという問題点がある。
【００１４】
最近、外部電極蛍光ランプの個数を減らすためにＵ字型対称構造を有する外部電極蛍光ランプが提案された。Ｕ字型対称構造を有する外部電極蛍光ランプは両側終端部分が同一線上に位置されるようになる。
【００１５】
Ｕ字型外部電極蛍光ランプ一つは既存の２個の一字型外部電極蛍光ランプを取り替えることによって、消費電流を減らすことができる。
【００１６】
しかし、Ｕ字型対称構造を有する蛍光ランプの両側終端部分が同一線上に位置するようになるによってこのようなＵ字型外部電極を陽極共通電極部と陰極共通電極部に接続するためには陽極共通電極部と陰極共通電極部を同一線上に位置されるようになってショートによる不良が発生するという問題点がある。
【発明の開示】
【発明が解決しようとする課題】
【００１７】
本発明は複数のＵ字型外部電極蛍光ランプをショートによる不良なく安全に共通電極部に接続することができるバックライトアセンブリー及びこれを具備した液晶表示装置を提供することを目的とする。
【課題を解決するための手段】
【００１８】
上記目的を達成するための本発明の望ましい第１実施形態によれば、液晶表示装置は、屈曲した形態を有する複数の外部電極蛍光ランプが相互間に平行に所定距離離隔されるように配置された第１及び第２共通電極部に電気的に共通接続したバックライトアセンブリー；及びバックライトアセンブリーから供給された光の透過率によって画像を表示する液晶パネルを含む。
【００１９】
本発明の望ましい第２実施形態によれば、バックライトアセンブリーは、相互間に平行に所定距離離隔されるように配置された第１及び第２共通電極部；及び第１及び第２共通電極部に電気的に共通接続されて両側終端部分が同一線上に位置されたＵ字型対称構造を有する複数の外部電極蛍光ランプを含む。
【００２０】
本発明の望ましい第３実施形態によれば、バックライトアセンブリーは、相互間に平行に所定距離離隔されるように配置された第１及び第２共通電極部；及び第１及び第２共通電極部に電気的に共通接続されて両側終端部分が同一線上に位置されないＵ字型非対称構造を有する複数の外部電極蛍光ランプを含む。
【発明の効果】
【００２１】
以上より、本発明によれば、Ｕ字型外部電極蛍光ランプの各電極をショートによる不良なしに安全に共通電極に接続することによって、消費電流を減少させることができるバックライトアセンブリーを作ることができる。
【００２２】
したがって、このようなバックライトアセンブリーは消費電流に敏感な大画面液晶表示装置に容易に適用されることができ、バックライトアセンブリーの適用範囲を拡張することができる。
【００２３】
以上説明した内容を介して当業者ならば本発明の技術思想を逸脱しない範囲で多様な変更及び修正が可能なことがわかることである。したがって、本発明の技術的範囲は明細書の詳細な説明に記載された内容に限定されることでなく特許請求の範囲により定められなければならないことである。
【発明を実施するための最良の形態】
【００２４】
以下、添付した図面を参照して本発明の望ましい実施形態を説明する。
【００２５】
図３は本発明の望ましい一実施形態による外部電極蛍光ランプを具備したバックライトアセンブリーを示した図面である。
【００２６】
図３で、本発明の一実施形態によるバックライトアセンブリー１０は共通陽（＋）電圧が供給される陽極共通電極部１１と、共通陰（−）電圧が供給されて陽極共通電極部１１と平行するように所定距離離隔されるように配置された陰極共通電極部１２と、陽極共通電極部１１及び陰極共通電極部１２に電気的に共通接続されて両側終端部分１４、１５が同一線上に位置されたＵ字型対称構造を有する複数の外部電極蛍光ランプ１３を具備する。
【００２７】
外部電極蛍光ランプ１３それぞれは陽極共通電極部１１に対応する位置に陽極電極１８が形成されて陰極共通電極部１２に対応する位置に陰極電極１７が形成される。
【００２８】
外部電極蛍光ランプ１３は陽極共通電極部１１及び陰極共通電極部１２に垂直に配置される。
【００２９】
外部電極蛍光ランプ１３の一方の終端部分１４に陰極共通電極部１２が配置され、終端部分１４から所定距離離隔されて陽極共通電極部１１が配置される。陽極共通電極部１１及び陰極共通電極部１２は長方形で延ばされたバー形態で構成することができる。
【００３０】
陽極共通電極部１１及び陰極共通電極部１２それぞれの上面には外部電極蛍光ランプ１３が挿着されることができる複数の挿着部（図示せず）が具備されることができる。挿着部は陽極共通電極部１１及び陰極共通電極部１２と一体に形成される。したがって、挿着部と陽極共通電極部１１及び陰極共通電極部１２は電気的に接続される。陽極共通電極部１１及び陰極共通電極部１２間に印加された高電圧は挿着部を介して外部電極蛍光ランプ１３に同時に供給される。
【００３１】
陽極共通電極部１１と陰極共通電極部１２間には数百ボルトの高電圧がかかることになるので、陽極共通電極部１１と陰極共通電極部１２間があまり近接されて配置されるとショートする恐れがある。したがって、陽極共通電極部１１と陰極共通電極部１２間は高電圧によりショートされないように所定距離離隔されるように配置しなければならない。このような配置設計は実験を介して最適化することができる。
【００３２】
陰極共通電極部１２に対応する外部電極蛍光ランプ１３の一方の終端部分１４には陰極電極１７が形成され、外部電極蛍光ランプ１３の他方の終端部分１５から所定距離離隔された陽極共通電極部１１に対応した部分１６に陽極電極１８が形成される。一方の終端部分１４と他方の終端部分１５は同一線上に位置される。陰極電極１７はキャップ形態で外部電極蛍光ランプ１３それぞれの一方の終端部分１４に挿入されることができてまたは一方の終端部分１４に導電性物質が直接コーティングされることができる。陽極電極１８はテープ形態で外部電極蛍光ランプ１３それぞれの他方の終端部分１５から所定距離離隔された陽極共通電極部１１に対応した部分１６に付着されることができてまたは導電性物質が直接コーティングされることができる。
【００３３】
陽極共通電極部１１と陰極共通電極部１２は相互に反対に配置されることができる。すなわち、外部電極蛍光ランプ１３の一方の終端部分１４に陽極共通電極部１１が配置されて、陽極共通電極部１１から所定距離離隔されるように陰極共通電極部１２が配置されることができる。このような場合、外部電極蛍光ランプ１３それぞれに形成された陽極電極１８及び陰極電極１７の位置はそのまま維持しても構わない。すなわち、陽極電極１８が陰極共通電極部１２に接続されて、陰極電極１７が陽極共通電極部１１に接続されることができる。陽極電極１８及び陰極電極１７は便宜上命名した名称であり、陽極電極１８に陰（−）電圧が供給され、陰極電極１７に陽（＋）電圧が供給されてもよい。
【００３４】
陽極共通電極部１１と陰極共通電極部１２間に高電圧がかかれば、高電圧が陽極共通電極部１１及び陰極共通電極部１２上に具備された挿着部を介して外部電極蛍光ランプ１３に同時に供給されることができる。したがって、外部電極蛍光ランプ１３から同時に光が生成されることができる。
【００３５】
このような構造でＵ字型対称構造を有する外部電極蛍光ランプ１３を陽極共通電極部１１及び陰極共通電極部１２に挿着させることによって、陽極共通電極部１１と陰極共通電極部１２間のショート発生可能性を基本的に遮断することができる。したがって、本発明の一実施形態によるＵ字型対称構造を有する外部電極蛍光ランプ１３を具備したバックライトアセンブリー１０はＵ字型対称構造を有する外部電極蛍光ランプ１３を利用することによって、消費電流に敏感な大画面液晶表示装置に容易に適用することができる。
【００３６】
図４は図３のバックライトアセンブリーを具備した液晶表示装置を示した図面である。
【００３７】
図４に示したように、本発明の液晶表示装置２０は図３のバックライトアセンブリー１０と、バックライトアセンブリー１０上に配置されて、バックライトアセンブリー１０から供給された光の透過量によって所定の画像を表示する液晶パネル２５を具備する。
【００３８】
図４には示さなかったが、液晶表示装置２０はバックライトアセンブリー１０を収納して支持するためのケースをさらに具備することができる。バックライトアセンブリー１０は液晶パネル２５の底面に配置されて所定の光を液晶パネル２５に供給する。液晶パネル２５は所定の電圧による電界により液晶を変位させて、液晶の変位量によってバックライトアセンブリー１０から供給された光の透過量が制御されて所定の画像が表示される。
【００３９】
バックライトアセンブリー１０は前述したように、相互間に平行するように所定距離離隔されるように陽極共通電極部１１及び陰極共通電極部１２が配置されて、Ｕ字型対称構造を有する外部電極蛍光ランプ１３の陽極電極１８が陽極共通電極部１１に電気的に接続されて陰極電極１７が陰極共通電極部１２に電気的に接続される。すなわち、陽極共通電極部１１及び陰極共通電極部１２上には電気的に接続されて一体に形成された挿着部が具備され、挿着部に外部電極蛍光ランプ１３が挿着されることによって、陽極共通電極部１１及び陰極共通電極部１２と外部電極蛍光ランプ１３が同時に電気的に接続される。
【００４０】
したがって、陽極共通電極部１１及び陰極共通電極部１２間に高電圧が印加されると、高電圧が挿着部を介して外部電極蛍光ランプ１３に供給される。これにより、外部電極蛍光ランプ１３から同時に光が生成されるようになって、このように生成された光は液晶パネル２５に供給されるようになる。
【００４１】
液晶パネル２５は第１基板と第２基板が合着されて、第１及び第２基板間に液晶が充填される。第１基板にはゲートラインとデータラインが具備されて、ゲートラインとデータラインの交差により画素領域が定義される。画素領域には薄膜トランジスタと画素電極が形成される。第２基板には画素領域に対応するように形成されたカラーフィルターと、カラーフィルター間に形成されたブラックマトリックスとカラーフィルター及びブラックマトリックス上に形成された共通電極が具備される。したがって、ゲートラインが次々と駆動されて薄膜トランジスタがターン・オンされる場合、データラインを介して供給されたデータ電圧が画素電極に印加されて共通電極に供給された共通電圧との電位差により電界が発生する。このような電界により液晶が変位されてバックライトアセンブリー１０から供給された光の透過量が制御されて所定の画像が表示されることができる。
【００４２】
図５は本発明の望ましい他の実施形態による外部電極蛍光ランプを具備したバックライトアセンブリーを示した図面である。図５は図３と外部電極蛍光ランプを除いては同一である。したがって、重複しない部分を中心に説明して、重複する部分は図３に対する説明で代わりにする。
【００４３】
図５で、本発明の他の実施形態によるバックライトアセンブリー３０は共通陽（＋）電圧が供給される陽極共通電極部３１と、共通陰（−）電圧が供給されて陽極共通電極部３１と平行するように所定距離離隔されるように配置された陰極共通電極部３２と、陽極共通電極部３１及び陰極共通電極部３２に電気的に共通接続されて両側終端部分３４、３５が同一線上に位置されないＵ字型非対称構造を有する複数の外部電極蛍光ランプ３３を具備する。
【００４４】
外部電極蛍光ランプ３３それぞれは陽極共通電極部３１に対応する位置に陽極電極３７が形成されて陰極共通電極部３２に対応する位置に陰極電極３６が形成される。
【００４５】
外部電極蛍光ランプ３３は陽極共通電極部３１及び陰極共通電極部３２に垂直に配置される。
【００４６】
外部電極蛍光ランプ３３はＵ字型非対称構造を有するので、両側終端部分３４、３５が相互に相異なった線上に位置されるようになる。すなわち、外部電極蛍光ランプ３３の一方の終端部分３４は他方の終端部分３５よりさらに延長されるように形成される。したがって、外部電極蛍光ランプ３３の一方の終端部分３４に陰極共通電極部３２が配置され、他方の終端部分３５に陽極共通電極部３１が配置される。陽極共通電極部３１及び陰極共通電極部３２は長方形で延ばされたバー形態で構成されることができる。
【００４７】
陽極共通電極部３１及び陰極共通電極部３２それぞれの上面には外部電極蛍光ランプ３３が挿着されることができる複数の挿着部（図示せず）が具備されることができる。
【００４８】
陰極共通電極部３２に対応する外部電極蛍光ランプ３３の一方の終端部分３４には陰極電極３６が形成され、外部電極蛍光ランプ３３の他方の終端部分３５に陽極電極３７が形成される。前述したように、外部電極蛍光ランプ３３の両側終端部分３４、３５は相互に相異なった線上に位置される。陰極電極３６はキャップ形態で外部電極蛍光ランプ３３それぞれの一方の終端部分３４に挿入され、または一方の終端部分３４に導電性物質が直接コーティングされる。同様に、陽極電極３７はキャップ形態で外部電極蛍光ランプ３３それぞれの他方の終端部分３５に挿入され、または他方の終端部分３５に導電性物質が直接コーティングされることができる。
【００４９】
陽極共通電極部３１と陰極共通電極部３２は相互に反対に配置される。すなわち、外部電極蛍光ランプ３３の一方の終端部分３６に陰極共通電極部３２が配置され、他方の終端部分３５に陽極共通電極部３１が配置される。
【００５０】
陽極共通電極部３１と陰極共通電極部３２間に高電圧がかかれば、高電圧が陽極共通電極部３１及び陰極共通電極部３２上に具備された挿着部を介して外部電極蛍光ランプ３３に同時に供給される。したがって、外部電極蛍光ランプ３３から同時に光が生成される。
【００５１】
このような構造でＵ字型非対称構造を有する外部電極蛍光ランプ３３を陽極共通電極部３１及び陰極共通電極部３２に装着することによって、陽極共通電極部３１と陰極共通電極部３２間のショート発生可能性を完全になくすことができる。したがって、本発明の他の実施形態によるＵ字型非対称構造を有する外部電極蛍光ランプ３３を具備したバックライトアセンブリー３０はＵ字型非対称構造を有する外部電極蛍光ランプ３３を利用することによって、消費電流に敏感な大画面液晶表示装置に容易に適用することができる。
【００５２】
このような構造を有するバックライトアセンブリー３０はバックライトアセンブリー３０上に位置された液晶パネル２５と共に液晶表示装置を構成することによって、バックライトアセンブリー３０から供給された光の透過量を制御して所定の画像を表示することができる。
【００５３】
図６Ａ及び６Ｂは本発明の他の実施形態を示す図である（以下、「サンドイッチ構造」という）。図６Ａは上面図であり、図６Ｂは図６ＡのＩ−Ｉ’における断面図である。本実施形態はＥＥＦＬの外部電極の配置を除いて図３と同様である。図６Ｂに示すように、外部電極５４（陰極）及び外部電極５７（陽極）が高さ方向に互い違いになるように配置され、それらを挟むように共通電極部５１及び５２が配置される。そして、共通電極部５１と共通電極部５２とを絶縁するために絶縁層６０が共通電極部５１と共通電極部５２の間に挿入されている。絶縁層６０はジェル状の充填剤であってもよいし、シート状のものであってもよい。この構造によってバックライトアセンブリーの有効発光領域を広げることができる。また、本実施形態において、外部電極５４及び５７は長さ方向に略同一の位置に終端を有するものとし、陰極と陽極は逆に設定してもよい。
【００５４】
また、図６Ｃに示すように、外部電極５４及び５７を同じ高さに配置し、共通電極部５１と共通電極部５２とを互いに他方の極性の共通電極部及び外部電極に接触しないように形成することもできる。これにより、図６Ｂに示したＥＥＦＬ又はバックライトアセンブリーよりもその製造を容易にすることができる。
【００５５】
さらに、図６Ｄ及び６Ｅに示すように、一方又は両方の外部電極が共通電極部の外側面に配置してもよい。これにより、バックライトアセンブリーの製造を容易にすることができる。なお、図６Ｃから図６Ｅにおいても絶縁層６０が挿入されている。
【００５６】
なお、上記の様々な実施例において共通的に示したように、２つの共通電極部がバックライトパネルで画定される領域のある一辺に寄せて配置されているのも本発明の特徴的な側面である。この構造は、図１に示すような２つの共通電極部が対向する辺に分けて配置される構造に比べて、共通電極部と電源供給部との総配線距離を短くすることができる等、製造コストを低減することができるとともに、配線を引き回すことに起因するノイズの影響を低減することもできる。
【図面の簡単な説明】
【００５７】
【図１】従来の外部電極蛍光ランプを具備したバックライトアセンブリーを示す図
【図２】図１のＡ領域を拡大した図
【図３】本発明の望ましい一実施形態による外部電極蛍光ランプを具備したバックライトアセンブリーを示す図
【図４】図３のバックライトアセンブリーを具備した液晶表示装置を示す図
【図５】本発明の望ましい他の実施形態による外部電極蛍光ランプを具備したバックライトアセンブリーを示す図
【図６Ａ】本発明の他の実施形態であるサンドイッチ構造を有するバックライトアセンブリーを示す図
【図６Ｂ】本発明のサンドイッチ構造の一例を説明する図
【図６Ｃ】本発明のサンドイッチ構造の他の一例を説明する図
【図６Ｄ】本発明のサンドイッチ構造の他の一例を説明する図
【図６Ｅ】本発明のサンドイッチ構造の他の一例を説明する図
【符号の説明】
【００５８】
１０、３０、５０：バックライトアセンブリー
１３、３３、５３：外部電極蛍光ランプ
１１、３１、５１：陽極共通電極部
１２、３２、５２：陰極共通電極部
１７、３６、５４：陰極電極
１８、３７、５７：陽極電極
２０：液晶表示装置
２５：液晶パネル
６０：絶縁層
【図１】
2006173086.tif 000003
【図２】
2006173086.tif 000004
【図３】
2006173086.tif 000005
【図４】
2006173086.tif 000006
【図５】
2006173086.tif 000007
【図６Ａ】
2006173086.tif 000008
【図６Ｂ】
2006173086.tif 000009
【図６Ｃ】
2006173086.tif 000010
【図６Ｄ】
2006173086.tif 000011
【図６Ｅ】
2006173086.tif 000012